【事件の表示】
　特許第３０１５１７９号「インクジェット記録ヘッド及び該ヘッドを具備するインクジェット記録装置」の請求項１ないし６に係る特許に対する特許異議の申立てについて、次のとおり決定する。
【結　論】
　訂正を認める。
　特許第３０１５１７９号の請求項１ないし６に係る特許を維持する。
【理　由】
１．手続の経緯
　本件特許第３０１５１７９号の請求項１乃至請求項６に係る発明は、平成３年１２月１９日に特許出願され、平成１１年１２月１７日にその特許の設定登録がなされ、その後、請求項１乃至請求項６に係る発明の特許について徳間功より特許異議の申立てがなされ、取消理由通知がなされ、その指定期間内である平成１３年５月８日に訂正請求がなされたものである。
　
２．訂正の適否についての判断
　ア．特許権者が求めている訂正の内容は、次のとおりである。
　訂正事項ａ：特許請求の範囲の請求項１及び請求項６における、「吐出口」を「
前記支持体の一方の端近傍に配された
　訂正事項ｂ：特許請求の範囲の請求項１及び請求項６における、「前記配線基板は９０度以上折り曲げられる」を「前記配線基板は
前記支持体の前記一方の端と反対側の端で
　訂正事項ｃ：発明の詳細な説明の段落【０００９】を、「前記目的を達成する本発明のインクジェット記録ヘッドは、支持体と、該支持体の一方の面上に配設され、記録信号に応じて
前記支持体の一方の端近傍に配された
前記支持体の前記一方の端と反対側の端で
　訂正事項ｄ：発明の詳細な説明の段落【００１１】を、「また、本発明のインクジェット記録装置は、支持体と、該支持体の一方の面上に配設され、記録信号に応じて
前記支持体の一方の端近傍に配された
前記支持体の前記一方の端と反対側の端で
　
　イ．訂正の目的の適否、新規事項の有無及び拡張・変更の存否
　訂正事項ａは、願書に添付した明細書又は図面に記載した事項（特に、特許掲載公報第３欄第２４〜４９行、図１〜図４）の範囲内で、吐出口の配される位置を支持体の一方の端近傍と技術的に限定するもので、特許請求の範囲の減縮に相当する。
　また、訂正事項ｂは、願書に添付した明細書又は図面に記載した事項（特に、特許掲載公報第３欄第２４〜４５行、図１〜図４）の範囲内で、配線基板の折り曲げられる位置を支持体の他方の端と技術的に限定するもので、特許請求の範囲の減縮に相当する。
　さらに、訂正事項ｃ及び訂正事項ｄは、訂正事項ａ及び訂正事項ｂに伴い、発明の詳細な説明の記載を、請求項１、請求項６の記載との整合を図るべく訂正するものであり、明瞭でない記載の釈明に相当する。
　そして、上記訂正は、いずれも新規事項の追加に該当せず、実質的に特許請求の範囲を拡張又は変更するものではない。
　
　ウ．むすび
　以上のとおりであるから、上記訂正は、特許法等の一部を改正する法律（平成６年法律第１１６号）附則第６条第１項の規定によりなお従前の例によるとされる、平成６年改正前特許法第１２６条第１項乃至第３項の規定に適合するので、当該訂正を認める。
　
３．特許異議の申立てについての判断
　ア．申立ての理由の概要
　特許異議申立人、徳間功は、甲第１号証（特開平２−５１３号公報）、甲第２号証（特開平２−１５１４４５号公報）、甲第３号証（特開昭６０−２０４３３２号公報）、甲第４号証（特開平４−１１２５９４号公報）、甲第５号証（特開昭５８−１１６１６４号公報）、甲第６号証（特開昭５８−１１６１６３号公報）を提示し、訂正前の請求項１乃至請求項６に係る発明は、甲第１号証乃至甲第６号証に記載された発明から当業者が容易に発明をすることができたものであり、特許法第２９条第２項の規定により、特許を受けることができないものであるから、特許を取り消すべきと主張している。
　尚、甲第４号証（特開平４−１１２５９４号公報）は、出願公開日が平成４年４月１４日であり、公知文献とは認められない。また、下記ウのとおり、液晶表示素子に関するものであり、特許法第２９条の２の適用における他の特許出願とも認められない。
　
　イ．本件の請求項１乃至請求項６に係る発明
　上記２．で示したように上記訂正が認められるから、本件の請求項１乃至請求項６に係る発明（以下、それぞれ「本件発明１」乃至「本件発明６」という。）は、上記訂正請求に係る訂正明細書の特許請求の範囲の請求項１乃至請求項６に記載された次のとおりのものである。
　「【請求項１】支持体と、
　該支持体の一方の面上に配設され、記録信号に応じて前記支持体の一方の端近傍に配された吐出口からインクを吐出するために利用されるエネルギーを発生する工ネルギ一発生手段が設けられたエネルギー基板と、
　該エネルギー基板に隣接して前記支持体の前記一方の面上に配設された部分と記録装置本体からの記録信号を受けるための接続端子が設けられた部分とを有し、前記接続端子が受けた記録信号を前記エネルギー基板に伝達するための配線基板と、を有し、
　前記配線基板は前記支持体の前記一方の端と反対側の端で９０度以上折り曲げられることにより、前記接続端子が設けられた部分が前記支持体の前記一方の面と反対側の面上に配設されていることを特徴とするインクジェット記録ヘッド。
　【請求項２】前記配線基板が約１８０度折り曲げられていることを特徴とする請求項１のインクジェット記録ヘッド。
　【請求項３】前記エネルギー発生手段が前記エネルギーとして熱エネルギーを発生する電気熱変換体であることを特徴とする請求項１のインクジェット記録ヘッド。
　【請求項４】前記エネルギー発生手段に対応して前記吐出口に連通するインクの通路が前記エネルギー基板上に形成されていることを特徴とする請求項１のインクジェット記録ヘッド。
　【請求項５】前記通路に供給されるインクを貯溜するためのインクタンクを一体的に有することを特徴とする請求項４のインクジェット記録ヘッド。
　【請求項６】支持体と、該支持体の一方の面上に配設され、記録信号に応じて前記支持体の一方の端近傍に配された吐出口からインクを吐出するために利用されるエネルギーを発生するエネルギー発生手段が設けられたエネルギー基板と、該エネルギー基板に隣接して前記支持体の前記一方の面上に配設された部分と記録装置本体からの記録信号を受けるための接続端子が設けられた部分とを有し、前記接続端子が受けた記録信号を前記エネルギー基板に伝達するための配線基板と、を有し、前記配線基板は前記支持体の前記一方の端と反対側の端で９０度以上折り曲げられることにより、前記接続端子が設けられた部分が前記支持体の前記一方の面と反対側の面上に配設されているインクジェット記録ヘッドと、
　該インクジェット記録ヘッドを載置するための載置部材と、
を具備することを特徴とするインクジェット記録装置。」
　
　ウ．刊行物等
　当審が取消理由として通知した刊行物である、刊行物１：特開平２−５１３号公報（甲第１号証）、刊行物２：特開平２−１５１４４５号公報（甲第２号証）、刊行物３：特開昭６０−２０４３３２号公報（甲第３号証）、刊行物４：特開昭５８−１１６１６４号公報（甲第５号証）、刊行物５：特開昭５８−１１６１６３号公報（甲第６号証）には、それぞれ下記の事項が記載されている。
　［刊行物１］
　ａ．「１．ペンキャリッジと、該ペンキャリッジと直角に印刷媒体を進ませる手段と、前記キャリッジに異なったタイプのペンを装着するための手段とを有するプリンタ・・・２．前記プリンタは、ドットマトリクスプリンタであり、前記ペンは熱インクジェットペンであることを特徴とする請求項１に記載のプリンタ。」（第１頁左下欄第５行〜右下欄第２行）。
　ｂ．「ペンボディ２０の前面の個々の穴２３は各ペンボディ室をフロントプレート２５の穴２４と連結させる。これは、フロントプレート２５をペンボディ２０に密封し、各ペンボディ室をフロントプレート２５を介して開口２４の選択された１つに別々に連結させるガスケット２７の４つの開口２６を介して行なわれる。フロントプレート２５の前面において空洞３１に入るノズル板３０はフロントプレートの開口２４を整列した複数グループのノズル３２を備えている。ノズル板３０の対向側面に沿ったコンタクトパッド３３は回路トレースを介して個々のノズルで個々の抵抗との接続を与える。個々のコンタクトパッド３３は電気エネルギを個々の抵抗回路に選択的に接続する手段となる。このような接続は回路トレース３６を備えたフレキシブル回路３５によって達成される（回路トレース３６はフレキシブル回路の穴の側端の裏面に沿ってコンタクトパッドで終端している）。・・・フレキシブル回路の裏面上のコンタクトパッドはノズル板のコンタクトパッド３３と係合する。組立て位置のフレキシブル回路は、それが感圧接着剤３７その他によってペンボディ２０の底面に固定される場合、ペンボディ２０の下に延びる。」（第４頁右上欄第５行〜左下欄第１０行）。
　ｃ．第２図には、フレキシブル回路３５が、フロントプレート２５の端部でほぼ９０度折り曲げられている点が記載されている。
　ｄ．「フレキシブル回路トレース３６の両端には電気パッド接続が存在する。・・・フレキシブル回路３５の対向端での回路トレースの端部は図示のようにフレキシブル回路３５の底側のコンタクトパッドで終端する。第３図はこのような典型的な接続形態を示す。・・・フレキシブル回路３５の一部は第３図の左側に示されており、典型的にフレキシブル回路３５の両端のコンタクトパッドを表わしている。第２のフレキシブル回路３８・・・はたとえば、ペンボディ２０の下のフレキシブル回路３５の端部を係合し、キャリッジ２上のペン９とキャリッジから離れて位置しているプリンタドライバ７・・・との間の電気接続を与えるプリンタキャリッジ２上のフレキシブル回路端を表わす。」（第４頁左下欄第１１行〜右下欄第１１行）。
　［刊行物２］
　ｅ．「第３図を参照すれば、ドーターボード４０は、プリントエッジに中央に配置したプリントヘッド１１を有する。複数の千鳥配置のワイヤボンディングパッド４２および貫通孔４４は、それぞれ入力ライン４６、４８（ボード４０の裏面にある）を貫通孔５０および対応する金メッキのランディングパッド５２に接続する。・・・パッド５２は、第４図に示したフレキシブルプリント回路６０上の対応するパッド５４に接触する。パッド５４は、電極６２により駆動電子装置に接続される。・・・第５図は、印刷組立体の正面切断図を示す。ドーターボード４０はゴムＯリング６６に対し押圧することによりカートリッジ１２と接触状態に保持される。プリントヘッド１１はインク供給オリフィス６８に接触している。」（第３頁右上欄第６行〜左下欄第１０行）。
　［刊行物３］
　ｆ．「本発明は液体噴射記録装置に関し、特に記録ヘッド部の構成に特徴を有する液体噴射記録装置に関する。」（第１頁左下欄第１５〜１７行）。
　ｇ．「第１図は本発明液体噴射記録装置の部分概略斜視図である。・・・記録ヘッド１はキャリッジ２の凹部２ａ内に着脱可能である。４は記録ヘッド１に設けられたノズルの液体吐出口である。・・・５は記録ヘッド１の各ノズルに設けられた液体吐出エネルギー発生体たとえば圧電素子または発熱素子への駆動信号線の個別電極端子部であり、６は該駆動信号線の共通電極端子部である。第３図は第１図におけるIII−III断面図である。・・・１１はフレキシブル回路基板であり、該回路基板１１には各ノズル１２の液体吐出用エネルギー発生体及び該エネルギー発生体の駆動信号線が形成されている。・・・１３は液体容器であり、ここに記録用液体が収納される。もちろん、液体容器１３はノズル１２に連通している。」（第２頁左上欄第１６行〜左下欄第６行）。
　［刊行物４］
　ｈ．「配列した複数のインク吐出圧発生素子とこれ等の素子に供給されるインクの層状流路を具えた記録ヘッドに於て、前記流路は互の先端部が対向する櫛歯状枝流路群を含み、これ等の枝流路には前記素子とインク吐出口を配設してあることを特徴とする記録ヘッド。」（特許請求の範囲）。
　ｉ．「前記基板１の一部には貫通孔３を設け、この貫通孔３にはインク導管４を挿着してある。」（第２頁左上欄第１６〜１７行）。
　［刊行物５］
　ｊ．「積層体を以て液体の通路を構成した液体噴射ヘッドに於て，前記積層体の厚さ方向に２以上の互に分離した液体通路を形成し，前記積層体の少なくとも最表層に液体吐出口を設けたことを特徴とする液体噴射ヘッド。」（特許請求の範囲）。
　ｋ．「基板１上に発熱素子或は圧電素子等の液体吐出圧発生素子２を所望の個数、配設する」（第２頁左上欄第１２〜１３行）。
　ｌ．「基板１、及び、板状体５，１１，１２，１４は、透孔等の位置合せをした後、互に・・・積層、合体されるものである。」（第２頁左下欄第１１〜１４行）。
　［参考：甲第４号証］
　「第４図はレーザー加工したＴＡＢテープ１０を液晶表示素子７に接続した例を示している。ＴＡＢテープ１０のポリイミドフィルム１の肉厚が薄い部分６はフィルムの腰が弱くなって折り曲げ易くなり、ＴＡＢテープ１０は液晶表示素子７の下側へコンパクトに実装できる。」（第３頁左上欄第６〜１１行）。
　
　エ．対比・判断
　（１）まず、上記記載ａ〜ｄを含む明細書及び図面によると、刊行物１には、下記の発明が記載されている。
　「フロントプレート２５と、
　フロントプレート２５の前面において空洞３１に入るノズル板３０はフロントプレートの開口２４を整列した複数グループのノズル３２を備え、ノズル板３０の対向側面に沿ったコンタクトパッド３３は回路トレースを介して個々のノズル３２で個々の抵抗との接続を与え、電気エネルギを個々の抵抗回路に選択的に接続する手段となり、
　フレキシブル回路３５の一端の裏面上のコンタクトパッドはノズル板のコンタクトパッド３３と係合し、フレキシブル回路３５の他端はプリンタドライバ７との間の電気接続を与えるプリンタキャリッジ２上のフレキシブル回路端を表す第２のフレキシブル回路３８と係合する端部となり、
　前記フレキシブル回路３５は前記フロントプレート２５の前記一方の端でほぼ９０度折り曲げられており、プリンタドライバ７との間の電気接続を与えるフレキシブル回路３５の他端はペンボディ２０の底面に固定されることを特徴とする熱インクジェットペン。」（以下、「刊行物１発明」という。）
　そこで、本件発明１と刊行物１発明とを対比する。
　まず、刊行物１発明において、電気エネルギーを記録信号に応じて発生させることは自明のことである。
　そうすると、刊行物１発明の「フロントプレート２５」、「前面」、「ノズル板３０」、「ノズル３２」、「フレキシブル回路３５」、「プリンタドライバ７との間の電気接続を与えるプリンタキャリッジ２上のフレキシブル回路端を表す第２のフレキシブル回路３８と係合する端部」、「熱インクジェットペン」は、それぞれ、本件発明１の「支持体」、「一方の面上」、「エネルギー基板」、「吐出口」、「配線基板」、「記録装置本体からの記録信号を受けるための接続端子が設けられた部分」、「インクジェット記録ヘッド」に相当する。
　さらに、刊行物１発明における「前記フレキシブル回路３５は前記フロントプレート２５の端部でほぼ９０度折り曲げられており、プリンタドライバ７との間の電気接続を与えるフレキシブル回路３５の他端はペンボディ２０の底面に固定される」と、本件発明１における「前記配線基板は前記支持体の前記一方の端と反対側の端で９０度以上折り曲げられることにより、前記接続端子が設けられた部分が前記支持体の前記一方の面と反対側の面上に配設されている」とは、「前記配線基板は前記支持体の端で折り曲げられることにより、前記接続端子が設けられた部分が前記支持体の前記一方の面と異なる部位に配設されている」点で共通する。
　してみると、本件発明１と刊行物１発明とは、
　「支持体と、
　該支持体の一方の面上に配設され、記録信号に応じて前記支持体の一方の端近傍に配された吐出口からインクを吐出するために利用されるエネルギーを発生する工ネルギ一発生手段が設けられたエネルギー基板と、
　該エネルギー基板に隣接して前記支持体の前記一方の面上に配設された部分と記録装置本体からの記録信号を受けるための接続端子が設けられた部分とを有し、前記接続端子が受けた記録信号を前記エネルギー基板に伝達するための配線基板と、を有し、
　前記配線基板は前記支持体の端で折り曲げられることにより、前記接続端子が設けられた部分が前記支持体の前記一方の面と異なる部位に配設されていることを特徴とするインクジェット記録ヘッド。」である点で一致し、次の点で相違する。
　相違点：配線基板が折り曲げられることにより、前記接続端子が設けられた部分が前記支持体の前記一方の面と異なる部位に配設されている点について、本件発明１では、配線基板は前記支持体の前記一方の端と反対側の端で９０度以上折り曲げられることにより、前記接続端子が設けられた部分が前記支持体の前記一方の面と反対側の面上に配設されているとしているのに対して、刊行物１発明では、フレキシブル回路３５（配線基板）は前記フロントプレート２５（支持体）の前記一方の端でほぼ９０度折り曲げられており、プリンタドライバ７との間の電気接続を与えるフレキシブル回路３５の他端はペンボディ２０の底面に固定されるとしている点。
　
　上記相違点について検討する。
　刊行物２には、プリントヘッド１１とフレキシブルプリント回路６０とがドーターボード４０に設けられた貫通孔５０を通して接続されるもので、配線基板の折り曲げ構造については記載はなく、それを示唆する記載もない。
　刊行物３には、フレキシブル回路基板１１には各ノズル１２の液体吐出用エネルギー発生体及び該エネルギー発生体の駆動信号線が形成されている点が記載されているが、ノズル（吐出口）と配線基板の折り曲げ箇所との配設位置関係については、上記相違点に係る本件発明１の構成を開示若しくは示唆するものではない。
　また、刊行物４及び刊行物５には、配線基板の折り曲げ構造については記載はなく、それを示唆する記載もない。
　そして、本件発明１は、配線基板は前記支持体の前記一方の端と反対側の端で９０度以上折り曲げられることにより、前記接続端子が設けられた部分が前記支持体の前記一方の面と反対側の面上に配設されているとする点により、「支持体のエネルギー基板が配設されている面とは反対側の面上に配線基板の接続端子が設けられた部分が配設されているので、支持体の両面を有効に利用することができる。そして、支持体の面積を縮小できるため、記録ヘッドの一層の小型化を達成することができる。」（特許掲載公報第１１欄第５〜１０行参照。）、「支持体の、互いに反対側の端の辺りに、吐出口と配線基板の折り曲げ箇所とが支持体をいわばはさむ様にして互いに隔離して配されるので、吐出口から出るインクによる配線基板の折り曲げ箇所辺りにおける短絡を低減できる。」（平成１３年５月８日付け特許異議意見書第４頁第１３〜１８行参照。）という、各刊行物に記載のものからは期待できない格別の効果を奏するものである。
　したがって、本件発明１は、上記刊行物１乃至刊行物５に記載のものから容易に発明をすることができたものとはいえない。
　
　（２）次に、本件発明２乃至本件発明５について検討する。
　本件発明２乃至本件発明５は、いずれも本件発明１における構成要件の一部を技術的に限定したものであって、上記と同様の理由により、上記刊行物１乃至刊行物５に記載のものから容易に発明をすることができたものとはいえない。
　
　（３）次に、本件発明６について検討する。
　本件発明６は、本件発明１に係るインクジェット記録ヘッドを載置したインクジェット記録装置に係る発明であるから、上記本件発明１について説示したと同様の理由により、上記刊行物１乃至刊行物５に記載のものから容易に発明をすることができたものとはいえない。
　
　オ．むすび
　以上のとおりであるから、特許異議の申立の理由によっては本件請求項１乃至請求項６に係る発明の特許を取り消すことはできない。
　また、他に本件請求項１乃至請求項６に係る発明の特許を取り消すべき理由を発見しない。
　したがって、本件請求項１乃至請求項６に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。　
【異議決定日】
平成１３年８月１７日（２００１．８．１７）
【訂正の要旨】
訂正の要旨（２０００年異議第７３３４０号）
　特許権者が求める特許明細書の訂正は、次の訂正からなる。（訂正個所にアンダーラインを付した。）。
　訂正事項ａ：特許請求の範囲の請求項１及び請求項６における、「吐出口」を「
前記支持体の一方の端近傍に配され
　訂正事項ｂ：特許請求の範囲の請求項１及び請求項６における、「前記配線基板は９０度以上折り曲げられる」を「前記配線基板は
前記支持体の前記一方の端と反対側の端で
　訂正事項ｃ：発明の詳細な説明の段落【０００９】を、「前記目的を達成する本発明のインクジェット記録ヘッドは、支持体と、該支持体の一方の面上に配設され、記録信号に応じて
前記支持体の一方の端近傍に配された
前記支持体の前記一方の端と反対側の端で
　訂正事項ｄ：発明の詳細な説明の段落【００１１】を、「また、本発明のインクジェット記録装置は、支持体と、該支持体の一方の面上に配設され、記録信号に応じて
前記支持体の一方の端近傍に配された
前記支持体の前記一方の端と反対側の端で
（５４）【発明の名称】
インクジェット記録ヘッド及び該ヘッドを具備するインクジェット記録装置
（５７）【特許請求の範囲】
　【請求項１】　支持体と、
　該支持体の一方の面上に配設され、記録信号に応じて
前記支持体の一方の端近傍に配された
　該エネルギー基板に隣接して前記支持体の前記一方の面上に配設された部分と記録装置本体からの記録信号を受けるための接続端子が設けられた部分とを有し、前記接続端子が受けた記録信号を前記エネルギー基板に伝達するための配線基板と、を有し、
　前記配線基板は
前記支持体の前記一方の端と反対側の端で
　【請求項２】　前記配線基板が約１８０度折り曲げられていることを特徴とする請求項１のインクジェット記録ヘッド。
　【請求項３】　前記エネルギー発生手段が前記エネルギーとして熱エネルギーを発生する電気熱変換体であることを特徴とする請求項１のインクジェット記録ヘッド。
　【請求項４】　前記エネルギー発生手段に対応して前記吐出口に連通するインクの通路が前記エネルギー基板上に形成されていることを特徴とする請求項１のインクジェット記録ヘッド。
　【請求項５】　前記通路に供給されるインクを貯溜するためのインクタンクを一体的に有することを特徴とする請求項４のインクジェット記録ヘッド。
　【請求項６】　支持体と、該支持体の一方の面上に配設され、記録信号に応じて
前記支持体の一方の端近傍に配された
前記支持体の前記一方の端と反対側の端で
　該インクジェット記録ヘッドを載置するための載置部材と、
を具備することを特徴とするインクジェット記録装置。
【発明の詳細な説明】
　【０００１】
　【産業上の利用分野】
　本発明は、例えばインクジェット記録装置本体から取り外しのできる小型のインクジェット記録ヘッド及び該ヘッドを具備するインクジェット記録装置に関するものである。
　【０００２】
　【背景の技術】
　今日、種々の記録方式が開発されている。中でも記録信号に応じて吐出口からインクを吐出して記録を行うインクジェット記録方式は、装置の小型化及び低騒音化が容易である等のために、近年広く使用されている。このインクジェット記録装置に用いられるインクジェット記録ヘッドは、保守の容易性から記録装置本体から取り外しができるようになっているものが少なくない。インクの供給及び電気信号の供給は、それぞれ例えばチューブジョイント、コネクタ接触端子などによってなされている。
　【０００３】
　図５及び図６は、背景となる関連技術に係るインクジェット記録ヘッドの一例を示す夫々模式的側断面図及び模式的斜視図である。ここでは、特に熱エネルギーを利用してインクを吐出する形態のインクジェット記録ヘッドを示す。
　【０００４】
　支持板１の上面には、熱エネルギーを発生する電気熱変換体の発熱部（以下、「ヒータ」とも称する）が表面に設けられ基材がＳｉ等からなるエネルギー基板（以下、「ヒータボード」とも称する）２と、記録装置本体から送られて来る電気信号をヒータボード２に伝達するための、基材がガラス／エポキシ等からなる配線基板９と、が接着されて配設されている。ヒータボード２と配線基板９とは、ワイヤボンディング７によって接続されている。
　【０００５】
　配線基板９の上面には、記録装置本体のフレキシブル配線基板と接触して電気的に接続されるコンタクトパッド４（以下、「接続端子」とも称する）が配設されている。インクはインク供給部材６を介して記録装置本体側から共通液室及びインク路の壁を形成する天板５内へ供給され、吐出口８より吐出される。
　【０００６】
　【発明が解決しようとする課題】
　しかしながら、支持板１の同一面側にインクジョイント部とコンタクトパッド部とが配置されるため、記録ヘッドを記録装置本体から抜き差しして着脱した後のインクジョイント部からの僅かなインク漏れだしにより、コンタクトパッド部がインクに汚染され、接触不良が発生することがあるという問題があった。
　【０００７】
　また、近年では更なる装置の小型化が要望されているが、コンタクトパッド部は接続端子数、パッド面積に制約があり、コンタクトパッド部の占める面積を小さくすることもなかなか困難であり、記録ヘッドの支持板の面積はヒータボード部、ワイヤボンディング部及びコンタクトパッド部の合計により決定されるので、更なる小型化を容易には達成し得ないという問題もあった。
　【０００８】
　本発明は、これらの問題を解決し、信頼性の一層高い安定した記録を行うことが可能な小型のインクジェット記録ヘッド及び該ヘッドを具備するインクジェット記録装置を提供することを主たる目的とする。
　【０００９】
　【課題を解決するための手段】
　前記目的を達成する本発明のインクジェット記録ヘッドは、支持体と、該支持体の一方の面上に配設され、記録信号に応じて
前記支持体の一方の端近傍に配された
前記配線基板は前記支持体の前記一方の端と反対側の端で
　【００１０】
　特に本発明では、配線基板が約１８０度折り曲げられることにより、支持体のエネルギー基板が配設されている面とは反対側の面上に配線基板の接続端子が設けられた部分が配設されている。
　【００１１】
　また、本発明のインクジェット記録装置は、支持体と、該支持体の一方の面上に配設され、記録信号に応じて
前記支持体の一方の端近傍に配された
前記支持体の前記一方の端と反対側の端で
　【００１２】
　【作用】
　本発明によれば、支持体のヒータボードが配設されている側とは反対側にコンタクトパッド部を配置したので、支持板の両面を有効に利用することができる。そして、支持板の面積を縮小できるため、記録ヘッドの一層の小型化を達成することができる。
　【００１３】
　更に、インクジョイント部と反対側にコンタクトパッド部を配置したので、コンタクトパッド部がインクによって汚染されたり電気的接触に対する悪影響を受けたりするのを防止することができる。
　【００１４】
　【実施例】
　（実施例１）
　図１及び図２を参照して、本発明の一実施例に係るインクジェット記録ヘッドについて説明する。図１の（ａ）は本発明の一実施例に係るインクジェット記録ヘッドを示す模式的側断面図であり、（ｂ）は該インクジェット記録ヘッドの上にインクタンクを取り外し可能に設けたものを示す模式的側断面図である。図２の（ａ）は該インクジェット記録ヘッドを上面側から見た模式的斜視図であり、（ｂ）は該インクジェット記録ヘッドを底面側から見た模式的斜視図である。
　【００１５】
　先ず図１を参照して、本実施例に係るインクジェット記録ヘッドの全体構成を説明する。アルミニウム等よりなる支持板１に沿って、インクを吐出するために利用される熱エネルギーを発生する電気熱変換体の発熱部（ヒータ）が表面に設けられ基材がＳｉ等からなるエネルギー基板（ヒータボード）２と、記録装置本体から送られて来る電気信号をヒータボード２に伝達するための接続端子（コンタクトパッド）４を有しポリイミド或いはポリエステルからなるフレキシブル配線基板３と、が配設されている。ヒータボード２と配線基板９とは、ワイヤボンディング７によって接続されている。
　【００１６】
　支持板１とフレキシブル配線基板３との間でワイヤボンディング７の裏側には、ガラス／エポキシ等からなる第１の補強板３０１が介在して接着されている。フレキシブル配線基板３の補強板が設けられていないフレキシブルな部分は、約１８０度折り曲げられている。そして支持板１の裏側でフレキシブル配線基板３のコンタクトパッド４に対応する箇所に、ガラス／エポキシ等からなる第２の補強板３０２が接着されている。フレキシブル配線基板３のコンタクトパッド４は、記録装置本体のフレキシブル配線基板のコンタクトパッドと接触して電気信号を供給される。
　【００１７】
　インクはインク供給部材６のインク供給口６ａを介して記録装置本体側から共通液室及びインク路の壁を形成する天板５内へ供給され、ヒータボード２上のヒータによって加熱されて吐出口８より吐出される。
　【００１８】
　次に、本実施例における記録ヘッドの製造工程についてその主要部を説明する。
　【００１９】
　まず、洗浄が成された支持体の一面上の必要部分に、スクリーン印刷等によってエポキシ系接着剤やＳＥ９１４５，ＳＥ４４１０（トーレダウコーニングシリコーン社製）と言ったシリコーン系接着剤等の接着剤を塗布する。尚、支持体としては、セラミックやガラス等を用いることも可能であるが、Ａｌ等の金属を用いる方が望ましい。
　【００２０】
　次に、接着剤が塗布された面の一端部に、ヒーターボード２を位置決め配置して接着し、同一面の他端部に装置側との接続端子であるコンタクトパッドが配された部分がはみ出す様に、金属基材で構成される配線基板３の一部を不図示の位置決め部で位置決めして接着する。
　【００２１】
　その後、ヒータボード２と配線基板３の接続端子は、ワイヤボンディング７等によって接続する。そして、ヒーターボード上に天板を接着することによって、インク路や共通液室を形成し、この天板にインク供給部材６を接続して、シリコン樹脂等の封止剤によって封止する。
　【００２２】
　次に、配線基板の支持体からはみ出した部分（コンタクトパッドが設けられた部分）を１８０度折り曲げ位置決めして、支持板１の裏面に接着する。
　【００２３】
　尚、配線基板３の基材としては、９０度以上という大きな曲げに対して耐えられる金属（合金を含む）であれば良く、例えばアルミや銅等に依って構成される金属が望ましい。また、この金属の配線基板は、配線基板の厚みの約２．５倍の半径以下に折り曲げを行うと配線に亀裂を生じ断線を生じる虞がある。このため、この厚みは、折り曲げの関点からはできるだけ薄いことが望ましいが、形状保持性及びコンタクト面のフラット性等の関点では、ある程度の厚みが必要である。本実施例におけるそのような好ましい厚みの範囲は、０．５ｍｍ以下、０．１ｍｍ以上である。
　【００２４】
　また、図２（ｂ）において、示される９は配線基板３を折り曲げ接着する際に用いる位置決め用の開口であり、この配線基板３の位置決め穴に対応する位置の支持体にも開口、もしくは凹部が施されており、これらの位置を合わせることによって、位置決めを行っている。ただしこの位置決めは、このように配線基板３の開口を用いて行う方法だけでなく、配線基板と支持体との形状（例えば係合関係等）によって行っても良い。また、配線基板３のヒーターボードとの接続を行う面側においても同様な位置決めを行うことが望ましい。
　【００２５】
　この様に、コンタクトパッド部をヒータボード２が配設されている側とは反対側に配置したことにより、支持板１の両面を有効に利用することができる。そして本実施例によれば、支持板１の面積を縮小できるので、記録ヘッドの小型化を達成することができる。また、インクジョイント部と反対側にコンタクトパッド部を配置したので、コンタクトパッド部がインクによって汚染されたり電気的接触に対する悪影響を受けたりするのを防止することができる。
　【００２６】
　（実施例２）
　前述した実施例１では、ヒータボード２とフレキシブル配線基板３との接続にワイヤボンディングを用いたが、その他の接続方法を用いてもよい。
　【００２７】
　図３はヒータボード２とフレキシブル配線基板３との接続にＴＡＢを用いた実施例を示す模式的側断面図である。本実施例によれば、ワイヤボンディングによる接続部よりも更に接続部の占める面積を縮小できるため、支持板１の面積を一層縮小でき、インクジェット記録ヘッドを一層小型化できる。
　【００２８】
　（実施例３）
　図１乃至図３に示された実施例ではフレキシブル配線基板３を約１８０度折り曲げたものについて説明したが、この折り曲げる角度は必ずしも約１８０度に限定されなくてもよい。
　【００２９】
　図４はヒータボード２とフレキシブル配線基板３を配設する支持体１１として、形状を自由に設計できるモールド部材等を用いた実施例を示す模式的側断面図である。
　【００３０】
　本実施例では、折り曲げ角度は９０度から１８０度の間であって前述した実施例よりも小さくて済むため、フレキシブル配線基板３の屈曲部へのストレスが低減されて信頼性が増し、コンタクトパッドの位置や折り曲げ角度などに関わる設計の自由度が増す等の利点がある。
　【００３１】
　以上の実施例に係るインクジェット記録ヘッドを装着されたインクジェット記録装置の一例について、第７図を用いて説明する。第７図は、インクジェット記録装置の一例の主要部を示す模式的斜視図である。
　【００３２】
　第７図において、３２０はプラテン３２４上に搬送された記録紙（不図示）の記録面に対向してインクの吐出口を複数具えた、ヘッド・インクタンク分離交換型のインクジェットカートリッジヘッドである。３１６はインクジェット記録ヘッド３２０を載置するためのキャリッジであり、駆動モータ３１７の駆動力を伝達する駆動ベルト３１８の一部と連結され、互いに平行に配設された２本のガイドシャフト３２９Ａ及び３２９Ｂと摺動可能とされている。これにより、インクジェット記録ヘッド３２０は、記録紙の全幅にわたる往復移動が可能とされている。
　【００３３】
　３２６はインクジェット記録ヘッド３２０からのインク吐出不良の回復及び予防を行う回復装置であり、インクジェット記録ヘッド３２０の移動範囲の所定箇所、例えばホームポジションと対向する位置に配設される。回復装置３２６は、伝動機構３２３を介したモータ３２２の駆動力によってインクジェット記録ヘッド３２０の吐出口のキャッピングを行なう。この回復装置３２６のキャップ３２６Ａによるインクジェット記録ヘッド３２０の吐出口のキャッピング動作に関連して、回復装置３２６に設けられた適宜の吸引手段（不図示）による吐出口からのインク吸引、若しくはインクジェット記録ヘッドヘのインク供給経路に設けられた適宜の加圧手段（不図示）によるインク圧送が行なわれる。これにより、インクを吐出口から強制的に排出させて、吐出口内方の増粘インク等の異物を除去するといった回復処理がなされる。
　【００３４】
　３３０は回復装置３２６の側面に配設され、シリコンゴムで形成されたワイピング用部材としてのブレードである。このブレード３３０はブレード保持部材３３０Ａに片持ち梁形態で保持され、回復装置３２６と同様、モータ３２２および伝動機構３２３によって動作して、インクジェット記録ヘッド３２０の吐出口面との係合が可能となる。これにより、例えばインクジェット記録ヘッド３２０の記録動作中の適切なタイミングで、或いは回復装置３２６を用いた回復処理の後等に、インクジェット記録ヘッド３２０の移動範囲中にブレード３３０を突出させ、イングジェット記録ヘッド３２０の移動動作に伴なって、インクジェット記録ヘッド３２０の吐出口面に付着した結露、濡れ或いは麈埃等の異物をふきとることができる。
　【００３５】
　このインクジェット記録装置の記録紙搬送手段、キャリッジ及び回復装置の駆動、更に記録ヘッドの駆動等は、例えば装置本体側のＣＰＵを含む制御手段より出力された命令、信号に基づいて制御される。
　【００３６】
　次に、以上述べた記録装置を組み込んだ情報処理装置に関して、その構成と電気回路について説明する。
　【００３７】
　図８は記録装置を組み込んだ情報処理装置６０４の外観を表わす模式的斜視図である。同図において、６０１は上述のプリンタ部、６０２は文字や数字およびその他のキャラクタを入力するためキーや、各種指令を与えるためのキーなどを備えたキーボード部、６０３表示器を備える表示部、である。
　【００３８】
　図９は記録装置を組み込んだ情報処理装置の電気回路構成を表わすブロック図である。
　【００３９】
　同図において、５０１は主制御をなすコントローラであり、５０２はある手順を実行する例えばマイクロコンピュータ形態のＣＰＵ、５０３はテキストデータや画像データを展開したりする領域や作業用の領域などを設けたＲＡＭ、５０４は前記手順に対応したプログラムやその他フォントデータなどの固定データを格納したＲＯＭ、５０５はＣＰＵ５０２の実行サイクルを作り出したりプリンタ部６０１による記録動作の際必要なタイミングを作り出したりするタイマ、５０６はＣＰＵ５０２からの信号と周辺装置を結ぶインターフェイス部、である。
　【００４０】
　また、５０７はプリンタ部６０１のコントローラであり、５０８はヘッドカートリッジ１０１に記録信号や電力などを送出するヘッドドライバ、５０９ａ、ｂはそれぞれキャリアモータ４０２ａ、搬送モータ４０２ｂを駆動するのに必要な信号や電力などを送出するモータドライバ、５１０はキャリア１０２の位置を検出し例えばホームポジションにキャリア１０２があるかどうか判断するためのキャリアセンサ、５１１は記録媒体６が未挿入であったりページ終端まで記録が終了してしまったときに記録媒体６以外のところに記録を行なわせないために記録媒体６の有無を検出するペーパーセンサ、である。
　【００４１】
　さらに、６０５は例えばＦＤＤ、ＨＤＤ、ＲＡＭカードなどの外部記憶装置、５１２は例えば他の情報処理装置と通信を行なったり、内部のバスに直接接続して周辺機器を制御したりするための外部インターフェイスである。
　【００４２】
　なお、図９のブロック図には含まれていないが、他に上記の電気回路に電力を供給するための電源部があり、これには例えば充電式のバッテリーや、使い捨ての乾電池、あるいは情報処理装置本体を固定して使用する場合のＡＣ電源用変換器などがある。
　【００４３】
　本発明は、特にインクジェット記録方式の中でも、熱エネルギーを利用してインクを吐出する方式の記録ヘッド、記録装置に於いて、優れた効果をもたらすものであるが、その他の方式、例えば電歪素子を用いてインクを吐出する方式の記録ヘッドにも適用できる。
　【００４４】
　その代表的な構成や原理については、例えば、米国特許第４７２３１２９号明細書、同第４７４０７９６号明細書に開示されている基本的な原理を用いて行なうものが好ましい。この方式は所謂オンデマンド型、コンティニュアス型のいずれにも適用可能であるが、特に、オンデマンド型の場合には、液体（インク）が保持されているシートや液路に対応して配置されてい電気熱変換体に、記録情報に対応していて核沸騰を越える急速な温度上昇を与える少なくとも一つの駆動信号を印加することによって、電気熱変換体に熱エネルギーを発生せしめ、記録ヘッドの熱作用面に膜沸騰させて、結果的にこの駆動信号に一対一対応し液体（インク）内の気泡を形成出来るので有効である。この気泡の成長，収縮により吐出用開口を介して液体（インク）を吐出させて、少なくとも一つの滴を形成する。この駆動信号をパルス形状とすると、即時適切に気泡の成長収縮が行なわれるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。尚、上記熱作用面の温度上昇率に関する発明の米国特許第４３１３１２４号明細書に記載されている条件を採用すると、更に優れた記録を行なうことができる。
　【００４５】
　記録ヘッドの構成としては、上述の各明細書に開示されているような吐出口、液路、電気熱変換体の組み合わせ構成（直線状液流路又は直角液流路）の他に熱作用部が屈曲する領域に配置されている構成を開示する米国特許第４５５８３３３号明細書、米国特許第４４５９６００号明細書を用いた構成も本発明に含まれるものである。
　【００４６】
　更に、記録装置が記録できる最大記録媒体の幅に対応した長さを有するフルラインタイプの記録ヘッドとしては、上述した明細書に開示されているような複数記録ヘッドの組み合わせによって、その長さを満たす構成や一体的に形成された一個の記録ヘッドとしての構成のいずれでも良いが、本発明は、上述した効果を一層有効に発揮することができる。
　【００４７】
　加えて、装置本体に装着されることで、装置本体との電気的な接続や装置本体からのインクの供給が可能になる交換自在のチップタイプの記録ヘッド、あるいは記録ヘッド自体に一体的に設けられたカートリッジタイプの記録ヘッドを用いた場合にも本発明は有効である。
　【００４８】
　又、本発明の記録装置の構成として設けられる、記録ヘッドに対しての回復手段、予備的な補助手段等を付加することは本発明の効果を一層安定できるので好ましいものである。これらを具体的に挙げれば、記録ヘッドに対しての、キャピング手段、クリーニング手段、加圧或は吸引手段、電気熱変換体或はこれとは別の加熱素子或はこれらの組み合わせによる予備加熱手段、記録とは別の吐出を行なう予備吐出モードを行なうことも安定した記録を行なうために有効である。
　【００４９】
　更に、記録装置の記録モードとしては黒色等の主流色のみの記録モードだけではなく、記録ヘッドを一体的に構成するか複数個の組み合わせによってでもよいが、異なる色の複色カラー又は、混色によるフルカラーの少なくとも一つを備えた装置にも本発明は極めて有効である。
　【００５０】
　以上説明した本発明実施例においては、液体インクを用いて説明しているが、本発明では室温で固体状であるインクであっても、室温で軟化した状態となるインクであっても用いることができる。上述のインクジェット装置では、インク自体の温度を３０℃以上７０℃以下の範囲内で調整することにより、インクの粘性を安定吐出範囲にあるように制御するのが一般的である。故にその様なインクジェット装置では、記録信号が付与されている装置使用時に液状であるインクを用いればよい。加えて、インクの固形状態から液体状態への態変化のエネルギーとして熱エネルギーを積極的に使用せしめることで熱エネルギーによるヘッド昇温を防止するために、又は放置状態でインクを固化させることによってインクの蒸発を防止するために、記録信号に応じて熱エネルギーを付与することによってインクが液化して液状で吐出するものや、記録媒体に到達する時点ではすでに固化し始めるもの等のような、熱エネルギーによって初めて液化する性質のインクも本発明では使用可能である。
　【００５１】
　【発明の効果】
　以上述べた様に、本発明では、配線基板が９０度以上折り曲げられることにより、支持体のエネルギー基板が配設されている面とは反対側の面上に配線基板の接続端子が設けられた部分が配設されているので、支持体の両面を有効に利用することができる。そして、支持体の面積を縮小できるため、記録ヘッドの一層の小型化を達成することができる。
　【００５２】
　更に、インクジョイント部と反対側にコンタクトパッド部を配置したので、コンタクトパッド部がインクによって汚染されたり電気的接触に対する悪影響を受けたりするのを防止することができる。
【図面の簡単な説明】
　【図１】
　（ａ）は本発明の一実施例に係るインクジェット記録ヘッドを示す模式的側断面図であり、（ｂ）は該インクジェット記録ヘッドの上にインクタンクを取り外し可能に設けたものを示す模式的側断面図である。
　【図２】
　（ａ）は本発明の一実施例に係るインクジェット記録ヘッドを上面側から見た模式的斜視図であり、（ｂ）は該インクジェット記録ヘッドを底面側から見た模式的斜視図である。
　【図３】
　本発明の他の実施例に係るインクジェット記録ヘッドを示す模式的側断面図である。
　【図４】
　本発明の更に他の実施例に係るインクジェット記録ヘッドを示す模式的側断面図である。
　【図５】
　背景となる関連技術に係るインクジェット記録ヘッドの一例を示す模式的側断面図である。
　【図６】
　背景となる関連技術に係るインクジェット記録ヘッドの一例を示す模式的斜視図である。
　【図７】
　インクジェット記録装置の一例の主要部を示す模式的斜視図である。
　【図８】
　記録装置を組み込んだ情報処理装置の外観を表わす模式的斜視図である。
　【図９】
　記録装置を組み込んだ情報処理装置の電気回路構成を表わすブロック図である。
　【符号の説明】
　１　支持板
　２　ヒータボード
　３　フレキシブル配線基板
　３０１　第１の補強板
　３０２　第２の補強板
　４　コンタクトパッド
　５　天板
　６　インク供給部材
　７　ワイヤボンディング
　８　吐出口
　９　ガラスエポキシ基材配線基板
　１０　ＴＡＢ
　１１　支持体